【事件の表示】
　平成１１年特許願第２９０８６７号「浴室暖房機」拒絶査定不服審判事件〔平成１３年４月２７日出願公開、特開２００１−１１６２７５号〕について、次のとおり審決する。
【結　論】
　本件審判の請求は、成り立たない。
【理　由】
１．手続の経緯
　本件に係る出願（以下、「本願」という。）は、平成１１年１０月１３日の特許出願であって、平成２０年３月７日付けの拒絶理由通知に対し、同年５月１２日付けで手続補正がなされたが、同年６月１８日付けで拒絶査定がなされた（発送日：同年６月２６日）。これに対し、同年７月２８日に拒絶査定不服の審判請求がなされたものである。　
　
２．本願発明について 
(1)本願発明 
　本願の特許請求の範囲の請求項１に係る発明（以下、「本願発明」という。）は、平成２０年５月１２日付け手続補正書により補正された明細書および図面の記載からみて、その特許請求の範囲の請求項１に記載された事項により特定される次のとおりのものである。  
　
「浴室内から吸引した空気を加熱して浴室内に送風するように循環通風する加熱式の循環手段と、
　その循環手段の作動を制御する制御手段とを備えた暖房乾燥機ユニットが、浴槽の上方に位置する状態で前記浴室の天井に取付けられた浴室暖房機であって、
　予備暖房運転モードと、入浴中暖房運転モードとを切り換えて指令する指令手段が設けられ、
　前記循環手段によって前記浴室内に送風される空気の吹き出し方向を変更する吹き出し方向変更手段が設けられ、
　前記制御手段が、前記指令手段にて予備暖房運転モードが指令されると、前記浴室内に送風される空気の送風量が予備暖房用の送風量となるように前記循環手段を作動させ、且つ、前記指令手段にて入浴中暖房運転モードが指令されると、前記浴室内に送風される空気の吹き出し方向を浴室内の洗い場に向けるように、かつ、その空気の吹き出し方向が、前記入浴中暖房運転モードの方が前記予備暖房運転モードよりも、鉛直方向に対して大きな角度となるように前記吹き出し方向変更手段を作動させるとともに、前記浴室内に送風される空気の送風量が前記予備暖房用の送風量よりも小さな入浴中暖房用の送風量になるように前記循環手段を作動させるように構成されている浴室暖房機。」
　
(2)刊行物 
(2-1)原査定の拒絶の理由に引用された、本願の出願前に頒布された刊行物である特開平１１−２３０５６３号公報（以下、「刊行物１」という。）には、図面と共に次の事項が記載されている。 
a)「【請求項１】  浴室内から吸引した空気の全量を加熱しながら循環用通風路を通して
浴室内に戻すように循環通風させて
前記
暖房運転モードが指令されると
加熱式の循環手段の作動を制御する制御手段が設けられている浴室暖房乾燥機
前記循環用通風路を通して前記浴室内に戻される
空気の吹出し方向を
浴室内の洗い場に向けた暖房用吹出し方向とに切換自在な切換手段
前記
制御手段が
暖房運転モードにおいては前記暖房用吹出し方向になるように前記切換手段を切換制御するように構成されている浴室暖房乾燥機
b)「【従来の技術】上記浴室暖房乾燥機は、暖房運転時においては、浴室内から吸引した空気の全量を加熱して浴室内に吹き出させ、乾燥運転時においては、浴室内から吸引した湿度が高くなった空気の一部を排気するとともに残部を加熱して浴室内に吹き出させるようにしたものであり、暖房運転時にも、乾燥運転時にも、循環用通風路から浴室内に加熱空気が吹き出すことになる。しかしながら、
暖房運転時には、浴槽に入っている時よりも寒さを感じ易い洗い場に向けて加熱空気が吹き出すように
　【発明が解決しようとする課題】この為、暖房運転と乾燥運転を効率良く行おうとすると、暖房運転モードや乾燥運転モードを指令する都度、循環用通風路からの吹出し方向をその運転モードに応じた方向になるように手動操作で変更する必要があり、その変更操作が煩わしくて、使い勝手が悪い欠点がある。特に、ルーバ等の風向案内手段が、手が届きにくい浴室天井側に循環用通風路の吹出し口が設けられている場合は、その変更操作が一層煩わしいものとなる。本発明は上記実情に鑑みてなされたものであって、
簡便な操作で
c)「【発明の実施の形態】図１は風呂用給湯装置を示し、この風呂用給湯装置には、本発明に係る浴室暖房乾燥機Ａと、浴槽１と洗い場２とを備えた浴室Ｃと、浴室暖房乾燥機Ａと浴槽１とに給湯する熱源機Ｂとが設けられ、浴室暖房乾燥機Ａの機器本体としての
暖房乾燥機ユニットＡ１には
暖房乾燥機リモコンＡ２が
接続され
　前記熱源機Ｂの作動は、マイクロコンピュータを主要部とする制御手段としての熱源機制御部Ｂ３により、予め記憶されている制御プログラムに基づいて制御され、
浴室暖房乾燥機Ａの作動は
制御手段としての暖房乾燥機制御部Ａ３により
制御される
　前記
暖房乾燥機ユニットＡ１は
加熱式の循環手段８と
切換手段９とをユニット状に組み付け
　前記
加熱式の循環手段８は
浴室Ｃ内の空気を吸引して
浴室Ｃ内に戻す
加熱する
　前記
切換手段９は
電動モータＭにて可動ルーバー１３の向きを変更して、吹出し口４からの吹出し方向を切換自在に構成されている
　そして、図６に示すように、
暖房乾燥機ユニットＡ１を、吹出し口４が浴槽１の真上に開口する状態で、浴室Ｃの天井５側に取り付けて
　前記循環用通風路１２の循環ファン１０よりも空気循環方向下手側で、かつ、暖房乾燥用熱交換器１１よりも空気循環方向上手側には、その循環用通風路１２の空気を屋外に放出可能な排気ダクト１５が接続され、その排気ダクト１５との接続部には、循環用通風路１２に吸引した空気を浴室Ｃ内に戻す循環空気量と、循環用通風路１２に吸引した空気をその途中から循環ファン１０によって屋外に排出する排出空気量との割合を変更調節可能な電動式の可動ダンパー１６が設けられている。
　図７は風呂用給湯装置の制御ブロック図を示し、熱源機制御部Ｂ３と
暖房乾燥機制御部Ａ３は
　前記メインリモコンＢ１と浴室リモコンＢ２には、風呂運転スイッチ１７と、給湯温度設定部１８と、自動湯張りスイッチ１９と、浴槽湯温設定部２０と、自動追焚スイッチ２１とが設けられている。
　そして、熱源機制御部Ｂ３は、風呂運転スイッチ１７がＯＮ操作されると、給湯温度設定部１８で設定された温度の湯を図外の給湯栓に給湯する一般給湯モードによる運転を実行し、自動湯張りスイッチ１９がＯＮ操作されると、浴槽湯温設定部２０で設定された温度の湯を浴槽１に湯張りする自動湯張りモードによる運転を実行し、自動追焚スイッチ２１がＯＮ操作されると、浴槽１内の湯が浴槽湯温設定部２０で設定された温度になるように追焚きする自動追焚モードによる運転を実行する。
　前記
暖房乾燥機リモコンＡ２には
暖房運転モードを指令する暖房運転スイッチ２３と
設けられている
　前記暖房乾燥機制御部Ａ３は、図８のフローチャートで示すように、運転停止スイッチ２２がＯＮ操作されると（＃１）運転停止処理を実行し（＃２）、暖房運転スイッチ２３のＯＮ操作で暖房運転モードが指令されると（＃３）暖房運転を実行し（＃４）、換気運転スイッチ２４のＯＮ操作で換気運転モードが指令されると（＃５）換気運転を実行し（＃６）、涼風運転スイッチ２５のＯＮ操作で涼風運転モードが指令されると（＃７）涼風運転を実行し（＃８）、乾燥運転スイッチ２６のＯＮ操作で乾燥運転モードが指令されると（＃９）乾燥運転を実行する（＃１０）ように、加熱式の循環手段８の作動を制御する。
　前記暖房運転モードにおいては、図２に示すように、浴室Ｃ内から吸引した空気の略全量をその浴室Ｃ内に戻す位置に可動ダンパー１６を移動させるとともに、循環用通風路１２を通して浴室Ｃ内に戻される空気の吹出し方向が洗い場２側に向けた暖房用吹出し方向、つまり、水平に対して約４５°斜め下向きの方向になるように、電動モータＭにて可動ルーバー１３の向きを変更する。
　そして、循環ファン１０の駆動を開始するとともに、図示しない熱動弁を開いて熱媒としての温水を暖房乾燥用熱交換器１１へ循環供給することにより、浴室Ｃ内から吸引した空気の全量を暖房乾燥用熱交換器１１で加熱しながら循環用通風路１２を通して浴室Ｃ内に戻すように循環通風させる暖房運転を開始し、浴室Ｃ内の温度が予め設定した暖房用の設定温度範囲に維持されるように熱動弁の開閉が制御され、運転時間設定部２７で設定した設定時間がタイムアップすると、又は、運転停止スイッチ２２が操作されるとその暖房運転を終了する。従って、暖房運転モードが指令されると、図６（イ）に示すように、循環用通風路１２を通して暖房乾燥用熱交換器１１で加熱された
空気が洗い場２に向けた斜め下向きに吹き出される
　
　上記記載事項及び図面の記載内容を総合勘案すると、刊行物１には、次の発明が記載されている。
「簡便な操作で、暖房運転時には、簡便な操作で浴槽に入っている時よりも寒さを感じ易い洗い場に向けて加熱空気が吹き出すようにすることを目的として、
　浴室Ｃ内の空気を吸引して加熱し、浴室Ｃ内に戻すように循環通風させる加熱式の循環手段８と、
　加熱式の循環手段８の作動を制御する暖房乾燥機制御部Ａ３とを備えた暖房乾燥機ユニットＡ１が、
　吹出し口４が浴槽１の真上に開口する状態で、浴室Ｃの天井５側に取り付けられた浴室暖房乾燥機Ａであって、
　暖房乾燥機ユニットＡ１には、暖房運転モードを指令する暖房乾燥機リモコンＡ２が接続されると共に、
　電動モータＭにて可動ルーバー１３の向きを変更して、吹出し口４からの吹出し方向を切換自在に構成されている切換手段９がユニット状に組み込まれ、
　暖房乾燥機制御部Ａ３は、暖房乾燥機リモコンＡ２にて暖房運転モードが指令されると、空気の吹出し方向を浴室内の洗い場２に向けた斜め下向き方向の暖房用吹出し方向とする
　浴室暖房乾燥機Ａ。」
　
(2-2)原査定の拒絶の理由に引用された、本願の出願前に頒布された刊行物である特開平１０−１４１６８４号公報（以下、「刊行物２」という。）には、図面と共に次の事項が記載されている。 
a)「浴室又は脱衣所内へ温風を送出する浴室等の暖房装置において、
温風の送出形態を変更可能な調整手段と、
第１、第２の制御モードを有するとともに、第１の制御モードでは、第２の制御モードに比べて浴室又は脱衣所内の温度上昇が大きくなるように調整手段を制御し、第２の制御モードでは、第１の制御モードに比べて浴室又は脱衣所内の人に当たる温風の風量又は風速が小さくなるように調整手段を制御する制御手段を設けたことを特徴とする浴室等の暖房装置。」（【特許請求の範囲】【請求項1】）　
b)「人が浴室又は脱衣所に入室したこと、あるいは人が浴室に入室待機中であることを検知する入室状況検知手段を備えるとともに、
前記制御手段は、この
入室状況検知手段の出力に基づき、前記第１の制御モードから前記第２の制御モードへ切り換える
c)「
本発明は、浴室等の暖房完了後において、温風が直接人に当たることによる肌寒さを低減しつつ、暖房完了後の放熱による浴室等内の温度低下を防止する浴室等の暖房装置を提供することを目的とする
　本発明は、また、浴室等内に人が入室した場合において、温風が直接人に当たることによる肌寒さを低減しつつ、暖房完了後の放熱による浴室等内の温度低下を防止する浴室等の暖房装置を提供することを目的とする。
【課題を解決するための手段およびその作用・効果】本発明は、浴室又は脱衣所（以下浴室等）内へ温風を送出する浴室暖房装置において、温風の送出形態を変更可能な調整手段と、
第１、第２の制御モードを有する
　本発明の実施形態としては、
第１の制御モード中には、第２の制御モードに比べて、温風吐出口から吐出される温風の風量
大きくなるよう調整手段を制御し、第２の制御モード中には、第１の制御モードに比べて、温風吐出口から吐出される温風の風量
小さくなるよう調整手段を制御する
　一方、第２の制御モード中は、吐出される温風の風量又は風速が小さいため、浴室内の人に当たる風量又は風速を小さくすることができる。
　さらなる実施形態としては、調整手段として、回転数変更可能なＤＣブラシレスモータを用いることによって、吐出される温風の風量又は風速の変更を簡単な構成で容易に実現できる。
　本発明の他の実施形態としては、温風吐出口から吐出される風量、風速は変更せずに、
第１の制御モード中には浴室中央部付近に風向を制御し、第２の制御モード中には浴室壁面付近に風向を制御する
　好適な実施形態としては、浴室又は脱衣所内温度が所定温度に達した場合、第１の制御モードから第２の制御モードへ切り換えることによって、浴室等内温度が所定温度に達した後は、浴室等内の人に当たる風量又は風速が小さくなる状態で待機することができる。
　さらなる実施形態としては、浴室等内温度を検知する温度検知手段を備えるとともに、この温度検知手段の出力に基づき、浴室等内温度が所定温度に達したことを判断することができる。
　別の実施形態としては、温風の送出開始後に所定時間が経過した場合、浴室等内温度が所定温度に達したことを判断することができる。
　他の好適な実施形態としては、浴室等内に人が入室する場合、第１の制御モードから第２の制御モードへ切り換えることによって、浴室等内に人が入室する場合は、浴室等内の人に当たる風量又は風速が小さくなる状態にすることができる。
　さらなる実施形態としては、人が浴室等に入室したこと、あるいは人が浴室に入室待機中であることを検知する入室状況検知手段を備え、この入室状況検知手段の出力に基づき、第１の制御モードから第２の制御モードへ切り換えることができる。
　人が浴室に入室したことを検知するには、浴室ドアの開閉検知手段等を用いればよく、人が浴室に入室待機中であることを検知するには、脱衣所ドアの開閉検知手段等を用いればよい。
　別の実施形態としては、人が浴室又は脱衣所に入室する時点を予測する入室予測手段を備え、この入室予測手段の出力に基づき、第１の制御モードから第２の制御モードへ切り換えることができる。
　好ましくは、温風の送出を開始せしめる操作スイッチを備えることにより、この操作スイッチ操作後の経過時間が所定時間に達する時点を、人が浴室又は脱衣所に入室する時点として予測することができる。
　尚、この所定時間の長さについては、一定長さでなくユーザーが長さを設定するようにしてもよい。」（段落【0004】ないし【0019】）
d)「【発明の実施の形態】図１は、本発明が適用される浴室乾燥装置の断面図であり、浴室１内には、浴槽２が備えられ、
浴室１の天井裏には乾燥装置本体３が設置されている
　浴室１の天井には、乾燥装置本体３に対応する位置に化粧パネル４が取付けられており、化粧パネル４には、浴室１内から乾燥装置本体３への吸入口５と、乾燥装置本体３から浴室１内への吹出口６とが形成されている。
　乾燥装置本体３は、吸入口５から吸入した空気の一部を浴室１外に排出するための換気ファン７、換気ファンモータ８、換気パイプ９と、吸入口５から吸入した空気の一部を
浴室１内に温風として吐出する
循環ファンモータ１１、ヒータ１２が設けられ
　また、吸入口５より乾燥装置本体３側には、吸入した空気の温度を検知する温度検知センサ１３、吸入した空気の湿度を検知する湿度検知センサ１４が備えられている。この両センサ１３、１４の取付位置については、温度、湿度を正確に検知できるような位置であれば、浴室１内の任意の箇所に設置してもよい。
　浴室１に隣接する脱衣所内の適所には、
乾燥装置本体３を制御する
制御装置は
循環ファンモータ１１、ヒータ１２に対して制御信号を発する
　図２は、リモコン１５の詳細であり、換気ファンモータ８、循環ファンモータ１１、ヒータ１２を作動開始させるための乾燥運転スイッチ１０１、換気ファンモータ８、循環ファンモータ１１を作動開始させるための涼風運転スイッチ１０２、換気ファンモータ８を作動開始させるための換気運転スイッチ１０３、循環ファンモータ１１、ヒータ１２を作動開始させるための暖房運転スイッチ１０４、スイッチ１０１〜１０４操作による乾燥装置本体３の各運転開始時刻を設定するための予約時間設定スイッチ１０５、予約時間設定スイッチ１０５により設定された時刻を表示する表示部１０６、予約時間設定スイッチ１０５により設定された時刻を制御装置に記憶させるための予約確定スイッチ１０７、スイッチ１０１〜１０４操作による乾燥装置本体３の各運転を停止させるための運転停止スイッチ１０８、浴室１内に設置された図示しない照明を点／消灯させるための照明スイッチ１０９が具備されている。
　続いて、
暖房運転スイッチ１０４操作に基づき制御装置が行う暖房運転
　まず、暖房運転スイッチ１０４を操作すると、循環ファン１１が回転数２１００ｒｐｍで作動開始するとともに、ヒータ１２への通電に開始より、浴室１内への温風の送出を開始する。
　そして、所定時間が経過すると、循環ファン１１の回転数を１５００ｒｐｍに低下させて、浴室１内の人に当たる風量及び風速が小さくなるようにする。
　その後、暖房運転用タイマーのタイムアップ又は暖房運転スイッチ１０４の再操作を条件として、循環ファン１１及びヒータ１２への通電を停止して暖房運転を終了する。
　ここで、前述した所定時間の意味合いには次の２通りがある。まず１つ目は、浴室１内の暖房が完了した後に、循環ファン１１の回転数を低下させることを示すものである。この場合、他の実施形態として、温度検知センサ１３の検知出力を用いて、浴室１内温度が設定温度に達した場合、循環ファン１１の回転数を低下させるようにしても良い。
　また２つ目は、浴室１内に人が入室した前後には、循環ファン１１の回転数を低下させることを示すものである。この場合、他の実施形態として、図４に示すように浴室１の扉１６の開閉を検知する開閉検知手段１７を設け、開閉検知手段１７の検知出力により浴室１内への人の入室検知した後は、循環ファン１１の回転数を低下させるようにしても良い。
　さらには、同様の開閉検知手段を脱衣所の扉に設けるようにすれば、浴室１内への人の入室検知した後は、循環ファン１１の回転数を低下させるようにしても良い。
　また、本発明が、浴室以外にも脱衣所のように人が温風を肌寒く感じる部屋に適用可能なことは言うまでもない。」（段落【0020】ないし【0033】）
e)上記摘記事項c、dの記載によると、暖房運転スイッチ１０４操作に基づき制御装置が暖房運転を行い、暖房運転においては、第１の制御モードの実行後に第２の制御モードを実行することから、
制御手段が暖房運転スイッチ１０４の操作に基づき第１制御モードを指令する
　
　上記記載事項及び図面の記載内容を総合勘案すると、刊行物２には、次の発明が記載されている。
「浴室等の暖房完了後に、温風が直接人に当たることによる肌寒さを低減しつつ、暖房完了後の放熱による浴室等内の温度低下を防止する浴室等の暖房装置を提供することを目的として、
　浴室内へ温風を吐出する循環ファンモータ１１、ヒータ１２と、
　循環ファンモータ１１、ヒータ１２に対して制御信号を発する制御装置により制御される乾燥装置本体３が、浴室１の天井裏に設置され、暖房運転を行う浴室乾燥装置であって、
　第１、第２の制御モードを有するとともに、
　制御手段が暖房運転スイッチ１０４の操作に基づき第１制御モードを指令し、入室状況検知手段の出力に基づき、第１の制御モードから第２の制御モードへ切り換え、
　制御手段が、第１の制御モード中には、第２の制御モードに比べて、温風吐出口から吐出される温風の風量が大きくなるよう調整手段を制御し、第２の制御モード中には、第１の制御モードに比べて、温風吐出口から吐出される温風の風量が小さくなるよう調整手段を制御するか、
　あるいは、制御手段が、第１の制御モード中には、浴室中央部付近に風向を制御し、第２の制御モード中には浴室壁面付近に風向を制御する、
暖房運転を行う浴室乾燥装置。」
　
(3)対比 
　本願発明と刊行物１に記載された発明を対比する。  
　刊行物１に記載された発明の「加熱式の循環手段８」は、その構成および機能からみて、本願発明の「加熱式の循環手段」に相当し、以下、同様に、
　「加熱式の循環手段８の作動を制御する」「暖房乾燥機制御部Ａ３」は「循環手段の作動を制御する」「制御手段」に、
　「暖房乾燥機ユニットＡ１」は「暖房乾燥機ユニット」に、
　「吹出し口４が浴槽１の真上に開口する状態で、浴室Ｃの天井５側に取り付けられた」「浴室暖房乾燥機Ａ」は「浴槽の上方に位置する状態で浴室の天井に取付けられた」「浴室暖房機」に、
　「暖房乾燥機リモコンＡ２が接続される」ことは「指令手段が設けられ」ることに、
　「電動モータＭにて可動ルーバー１３の向きを変更して、吹出し口４からの吹出し方向を切換自在に構成されている切換手段９がユニット状に組み込まれ」ることは「循環手段によって浴室内に送風される空気の吹き出し方向を変更する吹き出し方向変更手段が設けられ」ることに、
それぞれ相当する。
　そして、刊行物１に記載された発明の「暖房乾燥機制御部Ａ３は、暖房乾燥機リモコンＡ２にて暖房運転モードが指令されると、空気の吹出し方向を浴室内の洗い場２に向けた斜め下向き方向の暖房用吹出し方向とする」と、本願発明の「制御手段が、指令手段にて予備暖房運転モードが指令されると」「浴室内に送風される空気の吹き出し方向を浴室内の洗い場に向けるように」「吹き出し方向変更手段を作動させる」こととは、「制御手段が、指令手段にて暖房運転モードが指令されると、浴室内に送風される空気の吹き出し方向を浴室内の洗い場に向けるように構成されている」点で共通する。
　
　したがって、上記両者の一致点及び相違点は、次のとおりである。　　　［一致点］
「浴室内から吸引した空気を加熱して浴室内に送風するように循環通風する加熱式の循環手段と、
　その循環手段の作動を制御する制御手段とを備えた暖房乾燥機ユニットが、浴槽の上方に位置する状態で前記浴室の天井に取付けられた浴室暖房機であって、
　指令手段が設けられ、
　前記循環手段によって前記浴室内に送風される空気の吹き出し方向を変更する吹き出し方向変更手段が設けられ、
　制御手段が、指令手段にて暖房運転モードが指令されると、浴室内に送風される空気の吹き出し方向を浴室内の洗い場に向けるように構成されている
浴室暖房機。」
　 
［相違点１］
　指令手段が、本願発明では、予備暖房運転モードと、入浴中暖房運転モードとを切り換えて指令するのに対して、刊行物１に記載された発明では、暖房運転モードを指令する点。
　
［相違点２］
　本願発明では、制御手段が、指令手段にて予備暖房運転モードが指令されると、浴室内に送風される空気の送風量が予備暖房用の送風量となるように循環手段を作動させ、且つ、指令手段にて入浴中暖房運転モードが指令されると、浴室内に送風される空気の吹き出し方向を浴室内の洗い場に向けるように、かつ、その空気の吹き出し方向が、入浴中暖房運転モードの方が予備暖房運転モードよりも、鉛直方向に対して大きな角度となるように吹き出し方向変更手段を作動させるとともに、浴室内に送風される空気の送風量が予備暖房用の送風量よりも小さな入浴中暖房用の送風量になるように循環手段を作動させるように構成されているのに対して、刊行物１に記載された発明では、制御手段が、指令手段により、空気の吹出し方向を浴室内の洗い場２に向けた斜め下向きの暖房用吹出し方向とする点。
　
(4)当審の判断 
　上記相違点１、２について検討する。
　まず、本願発明と刊行物２に記載された発明とを対比する。
　刊行物２に記載された発明の「循環ファンモータ１１、ヒータ１２」は、その構成および機能からみて、本願発明の「加熱式の循環手段」に相当し、以下、同様に、
「循環ファンモータ１１、ヒータ１２に対して制御信号を発する制御装置」は「循環手段の作動を制御する制御手段」に、
「乾燥装置本体３」は「暖房乾燥機ユニット」に、
「浴室１の天井裏に設置され」「暖房運転を行う浴室乾燥装置」は、ヒータによる暖房機能を有するものであることから、「浴槽の上方に位置する状態で前記浴室の天井に取付けられた」「浴室暖房機」に、
それぞれ、相当する。
　ここで、刊行物２に記載された発明の「第１の制御モード」、「第２の制御モード」は、上記摘記事項(2)(2-2)cより、第１の制御モードは、暖房運転スイッチ１０４の操作により指令され、浴室に人が存在しない状況で行われる運転であり、第２の制御モードは入室状況検知手段の出力に基づいて指令され、浴室に人が存在する状況で行われる運転であるから、それぞれ、本願発明の「予備暖房運転モード」、「入浴中暖房運転モード」に相当する。
　したがって、刊行物２に記載された発明の「第１、第２の制御モードを有するとともに、制御手段が暖房運転スイッチ１０４の操作により第１制御モードを指令し、入室状況検知手段の出力に基づいて、第１制御モードから第２制御モードへ切り換え」ることは、本願発明の「予備暖房運転モードと、入浴中暖房運転モードとを切り換えて指令する指令手段」に相当する。
　次に、刊行物２に記載された発明の「制御手段が、第１の制御モード中には、第２の制御モードに比べて、温風吐出口から吐出される温風の風量が大きくなるよう調整手段を制御し、第２の制御モード中には、第１の制御モードに比べて、温風吐出口から吐出される温風の風量が小さくなるよう調整手段を制御する」ことは、「第１の制御モード中」は、所定の温風の風量となるように調整手段を制御し、「第２の制御モード中」は、第１の制御モードに比べて温風の風量が小さくなるように調整手段を制御するものであることから、本願発明の「制御手段が、指令手段にて予備暖房運転モードが指令されると、浴室内に送風される空気の送風量が予備暖房用の送風量となるように循環手段を作動させ、指令手段にて入浴中暖房運転モードが指令されると、浴室内に送風される空気の送風量が予備暖房用の送風量よりも小さな入浴中暖房用の送風量になるように循環手段を作動させる」ことに相当する。
　また、刊行物２に記載された発明の「制御手段が、第１の制御モード中には、浴室中央部付近に風向を制御し、第２の制御モード中には浴室壁面付近に風向を制御する」ことは、「第１の制御モード中」は、浴室中央部付近に風向を制御し、「第２の制御モード中」は、鉛直方向に対して大きな角度を有する浴室壁面付近に風向を制御するものであることから、本願発明の「指令手段にて入浴中暖房運転モードが指令されると、浴室内に送風される空気の吹き出し方向」が、「入浴中暖房運転モードの方が予備暖房運転モードよりも、鉛直方向に対して大きな角度となるように吹き出し方向変更手段を作動させる」に相当する。
　ゆえに、刊行物２に記載された発明は、本願発明の用語を用いると、
「浴室内から吸引した空気を加熱して浴室内に送風するように循環通風する加熱式の循環手段と、
　その循環手段の作動を制御する制御手段とを備えた暖房乾燥機ユニットが、浴槽の上方に位置する状態で前記浴室の天井に取付けられた浴室暖房機であって、
　入浴中暖房運転モードと、予備暖房運転モードとを切り換えて指令する指令手段が設けられ、
　制御手段が、指令手段にて予備暖房運転モードが指令されると、浴室内に送風される空気の送風量が予備暖房用の送風量となるように循環手段を作動させ、指令手段にて入浴中暖房運転モードが指令されると、浴室内に送風される空気の送風量が予備暖房用の送風量よりも小さな入浴中暖房運転用の送風量になるように循環手段を作動させるか、
あるいは
　そして、刊行物２に記載された発明は、浴室等の暖房完了後に、温風が直接人に当たることによる肌寒さを低減しつつ、暖房完了後の放熱による浴室等内の温度低下を防止する浴室等の暖房装置を提供することを目的としたものであるから、予備暖房運転モードと入浴中暖房運転モードとで送風量を異ならせること、および、吹き出し方向を異ならせることとを同時に実行することについて記載はないものの、同時に実行することを妨げるものでもない。
　ここで、刊行物１および２に記載された発明は、「浴室内から吸引した空気を加熱して浴室内に送風するように循環通風する加熱式の循環手段と、その循環手段の作動を制御する制御手段とを備えた暖房乾燥機ユニットが、浴槽の上方に位置する状態で前記浴室の天井に取付けられた浴室暖房機」という同一の技術分野に属する発明である。
　ゆえに、暖房空気の吹出し方向を浴室内の洗い場２に向けた斜め下向きとする暖房運転モードを備える刊行物１に記載された発明に、浴室等の暖房完了後に、温風が直接人に当たることによる肌寒さを低減しつつ、暖房完了後の放熱による浴室等内の温度低下を防止する浴室等の暖房装置を提供することを目的として、刊行物２に記載された発明の、暖房運転モードを予備暖房運転モードと入浴中暖房運転モードとから構成して予備暖房運転モードと入浴中暖房運転モードとで送風量を異ならせること、および、送風量を異ならせることと両立し得る吹き出し方向を異ならせることとを併せ適用して、暖房空気の吹出し方向を浴室内の洗い場２に向けることに加えて、上記相違点２において本願発明が具備する発明特定事項を採用することは、当業者が容易になし得たものである。
　また、本願発明の奏する効果についてみても、刊行物１および２に記載された発明から当業者が予測できた効果の範囲内のものである。
　ゆえに、本願発明は、刊行物１および２に記載された発明に基いて当業者が容易に発明をすることができたものである。 
　
３．むすび  
　以上のとおり、本願発明は、刊行物１および２に記載された発明に基いて当業者が容易に発明をすることができたものであるから、特許法第２９条第２項の規定により特許を受けることができない。
　したがって、本願のその他の請求項に係る発明について検討するまでもなく、本願は拒絶すべきものである。 
　
　よって、結論のとおり審決する。